(57)【特許請求の範囲】
【請求項１】
少なくとも１つの辺縁を有する開口建具の設置スペースを提供するステップと、
前記設置スペースの一辺に寸法校正部材を設置するステップと、
影像キャプチャ装置を利用し、前記設置スペースおよび前記寸法校正部材を含む影像を取得するステップと、
前記影像を影像測定システムへ伝送するステップと、
前記影像測定システムを利用して前記影像を分析し、前記設置スペースと前記寸法校正部材との比例関係を取り、前記影像の比例関係と前記寸法校正部材の実際の寸法とに基づき、前記設置スペースの実際の寸法を算出するステップと、
を含み、
前記寸法校正部材は、前記設置スペース内に設置され、
前記設置スペースと前記影像キャプチャ装置との間には、第一間隔を有し、
前記寸法校正部材と前記影像キャプチャ装置との間には、第二間隔を有し、
前記第二間隔は、前記第一間隔以上であることを特徴とする開口建具の設置スペースのサイズを求める方法。
【発明の詳細な説明】
【技術分野】
【０００１】
本発明は、開口建具、すなわちドア又は窓の設置スペースのサイズを求める方法に関し、より詳しくは、遠隔影像による開口建具の設置スペースのサイズを求める方法に関する。
【背景技術】
【０００２】
開口建具、すなわちドア又は窓の設置スペースのサイズを決めるにはドア又は窓の製造前に、重要なデータを取得する必要があり、データに基づき製造されたドア又は窓を設置スペースに合わせる。従来のドア又は窓の設置スペースのサイズの算出方式の大部分は、設置する現場で測定員により実際に測定を行うものが主である。
【先行技術文献】
【特許文献】
【０００３】
【特許文献１】特開２００５−２０１０３６号公報
【発明の概要】
【発明が解決しようとする課題】
【０００４】
しかしながら、前述した従来の技術では、設置現場が遠隔にある場合、測定員により現場の測定を行うと交通費と人件費が発生し、ドア又は窓の設置費用を増加させてしまう。このほか、現場で実際に測定を行う場合、家主或いは建設業者も測定員の測定を監視せねばならず、互いに時間を浪費させる結果となった。
【０００５】
本発明は、このような従来の問題に鑑みてなされたものである。上記課題解決のため、本発明は、遠隔影像により、人的コストを節約可能であり、測定の利便性を向上可能な開口建具の設置スペースのサイズを求める方法を提供することを主目的とする。
【課題を解決するための手段】
【０００６】
上述した課題を解決し、目的を達成するために、本発明に係る開口建具の設置スペースのサイズを求める方法は、少なくとも１つの辺縁を有する開口建具の設置スペースを提供するステップと、設置スペースの一辺に寸法校正部材を設置するステップと、影像キャプチャ装置を利用し、設置スペースおよび寸法校正部材を含む影像を獲得するステップと、影像を影像測定システムへ伝送するステップと、影像測定システムを利用して影像を分析し、設置スペースと寸法校正部材との比例関係を取り、影像の比例関係と寸法校正部材の実際の寸法とに基づき、設置スペースの実際の寸法を算出するステップと、を含むことを特徴とする。ここで「開口建具」とは、ドア又は窓をいう。
寸法校正部材は、設置スペース内に設置される。また、設置スペースと影像キャプチャ装置との間には、第一間隔を有し、寸法校正部材と影像キャプチャ装置との間には、第二間隔を有し、第二間隔は、第一間隔以上である。
【発明の効果】
【０００７】
本発明によれば、測定員により現場を測定する場合に発生する交通費及び人件費を節約でき、ドア又は窓の設置費用をも削減できる。このほか測定時に、家主或いは建設業者の時間を費やして測定員の行う測定を監視する必要もなく、誰でも影像キャプチャ機能を有するモバイル装置を利用して撮影するのみで良く、測定費用と時間の大幅に削減することができる。
【図面の簡単な説明】
【０００８】
【図１】本発明の一実施形態によるドア(窓)の設置スペースのサイズを求める方法のフローチャートである。
【図２Ａ】本発明の一実施形態によるドア(窓)設置スペースのサイズを求める方法を説明する模式図である。
【図２Ｂ】本発明の一実施形態によるドア(窓)設置スペースのサイズを求める方法を説明する模式図である。
【図２Ｃ】本発明の一実施形態によるドア(窓)設置スペースのサイズを求める方法を説明する模式図である。
【図２Ｄ】本発明の一実施形態によるドア(窓)設置スペースのサイズを求める方法を説明する模式図である。
【図２Ｅ】本発明の一実施形態によるドア(窓)設置スペースのサイズを求める方法を説明する模式図である。
【図３】本発明の一実施形態による寸法校正部材をドア（窓）設置スペース内に設置した状態を示す模式図である。
【図４】本発明の一実施形態による寸法校正部材をドア（窓）設置スペース外に設置した状態を示す模式図である。
【図５】本発明の一実施形態による寸法校正部材をドア（窓）設置スペース内に設置した状態を示す他の模式図である。
【図６】本発明の一実施形態による寸法校正部材をドア（窓）設置スペースの辺縁に設置した状態を示す模式図である。
【図７】本発明の一実施形態による寸法校正部材をドア（窓）設置スペースの辺縁の一辺に設置した状態を示す模式図である。
【発明を実施するための形態】
【０００９】
以下に図面を参照して、本発明を実施するための形態について、詳細に説明する。なお、本発明は、以下に説明する実施形態に限定されるものではない。
まず、本発明の遠隔影像による開口建具の設置スペースのサイズを求める方法の一実施形態について説明する。なお、本実施形態における開口建具は、ドア又は窓であり、以下、「ドア（窓）」と記載する。
【００１０】
（一実施形態）
図1〜図２Ｅは、本発明に係る好ましい一実施形態である。開口建具の設置スペースのサイズを求める方法を以下に詳述する。
まず、図１のステップ（ａ）及び図２Ａによれば、遠隔に位置するドア（窓）設置スペース１０は、少なくとも１つの辺縁１０ａを有する。本実施形態では、ドア（窓）設置スペース１０は４つの辺縁１０ａを有する。なお、ドア（窓）設置スペース１０が、「設置スペース」に対応する。
【００１１】
図１のステップ（ｂ）及び図２Ｂによれば、少なくとも１つの寸法校正部材２０をドア（窓）設置スペース１０の辺縁１０ａの一辺に設置する。本実施形態では、寸法校正部材２０の実際のサイズは既定値であり、好ましくは寸法校正部材２０はＡ４用紙である。
【００１２】
図７によれば、他の実施形態では、寸法校正部材２０は辺縁１０ａに設置されるドア（窓）枠である。ドア（窓）枠は、建物の建築時に、ドア（窓）の辺縁に固設されている。設置されるドア（窓）枠は、ドア（窓）の種類別或いはメーカーの型番からドア（窓）枠の実際のサイズを知ることができる。故に、ドア（窓）枠を寸法校正部材２０とすることは、他の実施形態に属する。なお、本実施形態では、ドア（窓）枠が「開口建具の枠」に対応する。
【００１３】
図２Ｂによれば、本実施形態では、寸法校正部材２０は、ドア（窓）設置スペース１０外に設置されるが、図３に示すように、寸法校正部材２０をドア（窓）設置スペース１０内に設置してもよいし、もしくは図６に示すように、寸法校正部材２０をドア（窓）設置スペース１０の辺縁１０ａに設置してもよい。
【００１４】
図１のステップ（Ｃ）及び図２Ｃによれば、影像キャプチャ装置３０により、ドア（窓）設置スペース１０及び寸法校正部材２０を含む影像４０を取得する。図４によれば、ドア（窓）設置スペース１０と影像キャプチャ装置３０の間には、第一間隔Ｇ１を有し、寸法校正部材２０と影像キャプチャ装置３０の間には第二間隔Ｇ２を有する。本実施形態では、寸法校正部材２０がドア（窓）設置スペース１０の外に設置される場合、第二間隔Ｇ２は、第一間隔Ｇ１より小さくなる。第二間隔Ｇ２が第一間隔Ｇ１より小さくなる場合、ドア（窓）設置スペース１０と寸法校正部材２０との影像キャプチャ間隔が不一致となるため、測定の誤差を生む。このため、影像によるサイズ測定時には、影像キャプチャ間隔の差の影響を考慮せねばならない。または、図５によれば、寸法校正部材２０がドア（窓）設置スペース１０内に設置される場合、第二間隔Ｇ２は第一間隔Ｇ１以上となり、好ましくは、第二間隔Ｇ２は第一間隔Ｇ１と等しくなり、影像キャプチャ間隔に差が無い条件下では、最も精度の高い設置スペースのサイズ測定が可能となる。
【００１５】
次に、図１のステップ（ｄ）及び図２Ｄによれば、影像４０を影像測定システム５０へ伝送し、本実施形態では、影像４０はモバイル装置により影像測定システム５０へ伝送される。影像測定システム５０は、Ｖｉｓｕａｌ  Ｂａｓｉｃ（ＶＢ）（登録商標）プログラミング言語およびマトロックス（登録商標）イメージングライブラリ(Ｍａｔｒｏｘ  Ｉｍａｇｉｎｇ  Ｌｉｂｒａｒｙ)を利用して、一般家庭のドア用に作られた測定システムである。このため、影像測定システム５０は、影像処理及び影像のサイズ測定機能を有する。ほかにも影像測定システム５０は、影像キャプチャ装置３０と同じくモバイル装置或いは他の実行ソフトウェアを有する電子装置により実行される。
【００１６】
最後に、図１のステップ（ｅ）及び図２Ｅによれば、影像測定システム５０により影像４０を分析し、ドア（窓）設置スペース１０および寸法校正部材２０の影像の比例関係を取り、影像の比例関係及び寸法校正部材２０の実際のサイズに基づき、ドア（窓）設置スペース１０の実際のサイズを算出する。
【００１７】
これにより、本実施形態では、遠隔から取得した影像４０によりドア（窓）設置スペース１０の実際のサイズを求めるため、測定員により測定する場合よりもコストを節約できる。このほか測定時に家主或いは建設業者が時間を費やして測定員の測定を監視する必要もなく、誰でも影像キャプチャ機能を有するモバイル装置により撮影を行うのみで良く、測定に掛かる費用と時間を大幅に削減させる。
【００１８】
上述の実施形態は本発明の技術思想及び特徴を説明するためのものにすぎず、当技術分野を熟知する者に本発明の内容を理解させると共にこれをもって実施させることを目的とし、本発明の技術的範囲を限定するものではない。従って、本発明の精神を逸脱せずに行う各種の同様の効果をもつ改良又は変更は、本発明の技術的範囲に含まれるものとする。
【符号の説明】
【００１９】
１０・・・・ドア（窓）設置スペース
１０ａ・・・辺縁
２０・・・・寸法校正部材
３０・・・・影像キャプチャ装置
４０・・・・影像
５０・・・・影像測定システム
Ｇ１・・・・第一間隔
Ｇ２・・・・第二間隔
【図１】
0005416796.tif 000002
【図２Ａ】
0005416796.tif 000003
【図２Ｂ】
0005416796.tif 000004
【図２Ｃ】
0005416796.tif 000005
【図２Ｄ】
0005416796.tif 000006
【図２Ｅ】
0005416796.tif 000007
【図３】
0005416796.tif 000008
【図４】
0005416796.tif 000009
【図５】
0005416796.tif 000010
【図６】
0005416796.tif 000011
【図７】
0005416796.tif 000012